(57)【要約】      （修正有）【課題】フレームを金属製の部分と合成樹脂製の部分のハイブリッド構成としつつ更に軽量化した釣糸ガイドの提供。【解決手段】竿体の外側に装着固定される釣糸ガイド１であって、釣糸を案内するためのガイドリングと、該ガイドリングが装着されるリング装着孔１０が形成されたリング保持部１２と竿体に取り付けられる取付脚部１１とを有するフレーム３とを備え、フレーム３は、リング保持部１２側の部分と取付脚部１１側の部分とに区分されて構成されており、リング保持部１２側の部分を構成する保持部材７は合成樹脂からなる射出成形品であり、取付脚部１１側の部分を構成する脚部材８は金属製であり、保持部材７と脚部材８は、リング装着孔１０と取付脚部１１との間の位置で接合一体化されている。【選択図】図１
2018157769.tif 000002
【特許請求の範囲】
【請求項１】
竿体の外側に装着固定される釣糸ガイドであって、
釣糸を案内するためのガイドリングと、該ガイドリングが装着されるリング装着孔が形成されたリング保持部と竿体に取り付けられる取付脚部とを有するフレームとを備え、
フレームは、リング保持部側の部分と取付脚部側の部分とに区分されて構成されており、
リング保持部側の部分を構成する保持部材は合成樹脂からなる射出成形品であり、取付脚部側の部分を構成する脚部材は金属製であり、保持部材と脚部材は、リング装着孔と取付脚部との間の位置で接合一体化されている
ことを特徴とする釣糸ガイド。
【請求項２】
脚部材は保持部材にインサート成形により一体化されている請求項１記載の釣糸ガイド。
【請求項３】
脚部材の接合端部に抜け止め構造を備えている請求項２記載の釣糸ガイド。
【請求項４】
リング保持部は取付脚部に対して所定角度で立ち上がっており、該立ち上がり部において保持部材の接合端部の内側に脚部材の接合端部が入り込むようにして保持部材と脚部材とが接合されており、保持部材の接合端部と脚部材の取付脚部との間に段差が形成される程度に保持部材の接合端部は厚く脚部材の取付脚部は薄い請求項１乃至３の何れかに記載の釣糸ガイド。
【請求項５】
請求項１乃至４の何れかに記載の釣糸ガイドが竿体に取り付け固定されている釣竿。
【請求項６】
請求項４記載の釣糸ガイドの取付脚部が巻糸により竿体に取り付け固定されており、保持部材の接合端部と脚部材の取付脚部との間の段差を埋めるように巻糸が巻回されている釣竿。
【請求項７】
竿体の外側に装着固定される釣糸ガイドのフレームであって、
釣糸を案内するためのガイドリングが装着されるリング装着孔が形成されたリング保持部と、竿体に取り付けられる取付脚部とを有し、
リング保持部側の部分と取付脚部側の部分とに区分されて構成されており、
リング保持部側の部分を構成する保持部材は合成樹脂からなる射出成形品であり、取付脚部側の部分を構成する脚部材は金属製であり、保持部材と脚部材は、リング装着孔と取付脚部との間の位置で接合一体化されていることを特徴とする釣糸ガイドのフレーム。
【発明の詳細な説明】
【技術分野】
【０００１】
本発明は、釣糸を案内するための釣糸ガイドと、それを備えた釣竿と、釣糸ガイドのフレームに関する。
【背景技術】
【０００２】
竿体の外周面に取り付け固定される構成の釣糸ガイドには釣糸から大きな力が作用するため、釣糸ガイドには釣糸からの力に耐えうる強度が求められる。その一方、釣糸ガイドの重量は釣竿全体の重量に大きく影響を及ぼすことから軽量化も求められる。
【０００３】
強度を確保するためにはガイドリングを保持するためのフレームを金属製とすることが有利であり、そのため金属板を打ち抜いてガイドフレームを形成していた。しかしながら、金属板を打ち抜いて形成されたフレームでは、強度を確保しつつ軽量化を図ることには限界がある。一方、フレームを合成樹脂製とすると軽量化が可能となり、特に、繊維強化樹脂製とすると強度も確保できる。しかしながら、フレームを合成樹脂製とすると弾性変形しにくい。そのため、釣竿に装着された釣糸ガイドに大きな外力が作用したときに、フレームの根元部分が破損するおそれがある。
【０００４】
釣糸ガイドの強度と軽量化の両立を図るものとして、本出願人は、金属製の芯材部と繊維強化樹脂製の外装部とから構成するハイブリッド構成のフレームについて既に提案済みである（下記特許文献１）。
【先行技術文献】
【特許文献】
【０００５】
【特許文献１】特許第５６２６７６２号公報
【発明の概要】
【発明が解決しようとする課題】
【０００６】
本発明は、フレームを金属製の部分と合成樹脂製の部分のハイブリッド構成としつつ更に軽量化することを課題とする。
【課題を解決するための手段】
【０００７】
本発明は上記課題を解決すべくなされたものであって、本発明に係る釣糸ガイドは、竿体の外側に装着固定される釣糸ガイドであって、釣糸を案内するためのガイドリングと、該ガイドリングが装着されるリング装着孔が形成されたリング保持部と竿体に取り付けられる取付脚部とを有するフレームとを備え、フレームは、リング保持部側の部分と取付脚部側の部分とに区分されて構成されており、リング保持部側の部分を構成する保持部材は合成樹脂からなる射出成形品であり、取付脚部側の部分を構成する脚部材は金属製であり、保持部材と脚部材は、リング装着孔と取付脚部との間の位置で接合一体化されていることを特徴とする。尚、前後方向は竿体の中心線の方向であって、竿先側を前側とし、竿尻側を後側とする。
【０００８】
該構成の釣糸ガイドのフレームは、保持部材と脚部材という二つの部材から構成されている。保持部材は合成樹脂製であるため、ボリュームのある形状としても軽量となる。しかも、保持部材は射出成形によって形成されているため、最適な形状を容易に形成でき、リング装着孔の壁面の軸線方向の長さを十分に確保することによってガイドリングをしっかりと受け止めて保持することができる。また、形状を工夫することによって強度も十分に確保することができる。一方、脚部材は金属製であるため取付脚部を薄くすることができる。そのため、竿体に例えば巻糸によって釣糸ガイドの取付脚部を取り付けた状態において、巻糸の部分が竿体の外周面から外側に大きく膨れあがるということがない。また、脚部材が金属製であるため靱性に優れており、大きな外力が作用しても撓んだり弾性変形したりするので折れにくく、繰り返し曲げにも耐えることができる。そして、保持部材と脚部材がリング装着孔と取付脚部との間の位置で接合一体化されており、ガイドリングを合成樹脂である保持部材のみによって保持するので、フレーム全体に占める金属部分の割合が小さくなる。
【０００９】
特に、脚部材は保持部材にインサート成形により一体化されていることが好ましい。保持部材と脚部材とを別々に形成して、保持部材と脚部材とを接着により一体としてもよいが、脚部材をインサート成形により保持部材に一体化することで両部材を強固に一体化できる。また、接着作業も不要になり、はみ出した接着剤を拭き取る作業も不要になる。
【００１０】
更に、脚部材の接合端部に抜け止め構造を備えていることが好ましく、保持部材と脚部材との接合がより一層強固なものとなる。
【００１１】
また、リング保持部は取付脚部に対して所定角度で立ち上がっており、該立ち上がり部において保持部材の接合端部の内側に脚部材の接合端部が入り込むようにして保持部材と脚部材とが接合されており、保持部材の接合端部と脚部材の取付脚部との間に段差が形成される程度に保持部材の接合端部は厚く脚部材の取付脚部は薄いことが好ましい。尚、上下方向は、竿体の径方向であって、竿体から離れていく側を上側とし、竿体に近づいていく側を下側とする。上記構成のように保持部材と脚部材とが立ち上がり部において接合されていると、例えば、立ち上がり部よりも上側に離れた位置で接合されている構成に比して、保持部材と脚部材との接合部において釣糸が絡みにくい。また、保持部材の接合端部が脚部材の取付脚部に対して十分に厚いので、保持部材の接合端部の強度が大きく、保持部材の接合端部において発生しやすい割れを防止できる。また、保持部材の接合端部と脚部材の取付脚部との間には段差が形成されるが、取付脚部を巻糸によって竿体に取り付けることで段差を解消することができ、その段差における糸絡みの発生も防止できる。
【００１２】
また、本発明に係る釣竿は、上述の釣糸ガイドが竿体に取り付け固定されているものである。
【００１３】
また、本発明に係る釣竿は、上述の釣糸ガイドの取付脚部が巻糸により竿体に取り付け固定されており、保持部材の接合端部と脚部材の取付脚部との間の段差を埋めるように巻糸が巻回されているものである。
【００１４】
また、本発明に係る釣糸ガイドのフレームは、竿体の外側に装着固定される釣糸ガイドのフレームであって、釣糸を案内するためのガイドリングが装着されるリング装着孔が形成されたリング保持部と、竿体に取り付けられる取付脚部とを有し、リング保持部側の部分と取付脚部側の部分とに区分されて構成されており、リング保持部側の部分を構成する保持部材は合成樹脂からなる射出成形品であり、取付脚部側の部分を構成する脚部材は金属製であり、保持部材と脚部材は、リング装着孔と取付脚部との間の位置で接合一体化されていることを特徴とする。
【発明の効果】
【００１５】
以上のように、フレームをリング保持部側の保持部材と取付脚部側の脚部材とに区分けして構成し、保持部材を合成樹脂の射出成形品とし脚部材を金属製としたハイブリッド構成のフレームとして、保持部材と脚部材をリング装着孔と取付脚部との間の位置で接合一体化したので、必要な強度、ガイドリングの保持力及び取付脚部の靱性や繰り返し曲げ性能を確保しつつ、釣糸ガイドを軽量化することができる。
【図面の簡単な説明】
【００１６】
【図１】本発明の一実施形態における釣糸ガイドのフレームを示す斜視図。
【図２】同フレームの平面図。
【図３】同フレームを後側から竿体の軸線方向に沿って見た図。
【図４】同フレームを前側から竿体の軸線方向に沿って見た図。
【図５】同釣糸ガイドの竿体への取付状態を示す断面図。
【図６】本発明の他の実施形態における釣糸ガイドのフレームの脚部材を示す平面図。
【図７】本発明の他の実施形態における釣糸ガイドのフレームの脚部材を示す平面図。
【図８】本発明の他の実施形態における釣糸ガイドのフレームの脚部材を示す正面図。
【発明を実施するための形態】
【００１７】
以下、本発明の一実施形態に係る釣糸ガイド１について図１〜図５を参酌しつつ説明する。本実施形態における釣糸ガイド１は、釣糸が挿通し、その釣糸を内周面で直接案内するためのガイドリング２（図５参照）と、該ガイドリング２を保持すると共に竿体４の外周面に取り付け固定されるフレーム３とを備えている。図１〜図４には、釣糸ガイド１に使用されるフレーム３をガイドリング２のない状態で示しており、図５には、釣糸ガイド１を竿体４に装着した状態を示している。尚、竿体４は、中空状であってもよいし、中実状であってもよい。
【００１８】
かかる釣糸ガイド１は、図５に示すように竿体４の外周面の所定位置に固定される。尚、竿体４の軸線方向を前後方向と称すると共に、図中、竿先側を前側として符号Ｘ１で示し、竿尻側を後側として符号Ｘ２で示す。竿体４の軸線方向は竿体４の中心線の方向である。また、竿体４の軸線方向と直交する方向であって後述するリング装着孔１０の中心線を通る平面上の方向を上下方向とし、竿体４から離れる方向を上側として符号Ｚ１で示し、竿体４に近づく方向を下側として符号Ｚ２で示す。更に、図２のように上側から見た平面視において竿体４の軸線方向である前後方向と直交する方向を左右方向とし、それを符号Ｙで示す。尚、フレーム３にガイドリング２を装着した状態において、リング装着孔１０の中心線はガイドリング２の中心線と一致する。
【００１９】
＜ガイドリング２＞
ガイドリング２は、本実施形態において円形の環状であるが、楕円形や長円形等であってもよい。ガイドリング２は耐摩耗性に優れた、種々の硬質材料からなり、例えばＳｉＣ（シリコンカーバイト）に代表されるセラミックや、各種の金属材料が使用される。金属材料としては、例えばチタンが挙げられる。チタンとしてはチタン合金が好ましい。チタン合金は、α相とβ相が混在しているものであって、主としてα相であって一部にβ相が残留したニアα型（少量のβ安定化元素を添加したα合金）、α＋β型、β型が好適である。特にβ型のチタン合金であることが好ましく、冷間加工性が良く、部材の強度も容易に確保できる。ニアα型としては、例えば、Ｔｉ−８Ａｌ−１Ｍｏ−１ＶやＴｉ−６Ａｌ−２Ｎｂ−１Ｔａ−０．８Ｍｏ等である。α＋β型は、ニアα型よりも多量のβ相が残留しており、例えば、Ｔｉ−３Ａｌ−２．５ＶやＴｉ−６Ａｌ−４Ｖ等である。β型は、準安定β型とも称されるものであって、α＋β型に比してβ安定化元素が多く、α安定化元素が少ない。β型では、残留β相中に微細な粒でα相が分散して生成しており、従って、β型においてもその表面にはα相とβ相とがまだら模様となって存在している。β型としては、例えば、Ｔｉ−１５Ｖ−３Ｃｒ−３Ｓｎ−３Ａｌや、Ｔｉ−３Ａｌ−８Ｖ−６Ｃｒ−４Ｚｒ−４Ｍｏや、Ｔｉ−１０Ｖ−２Ｆｅ−３Ａｌ等があるが、特に、冷間加工性に優れていることからＴｉ−１５Ｖ−３Ｃｒ−３Ｓｎ−３Ａｌが好ましい。ガイドリング２は、釣糸が挿通する糸挿通孔を有しており、ガイドリング２の内周面を釣糸が摺動することで釣糸を直接案内する。
【００２０】
＜フレーム３＞
フレーム３は、ガイドリング２を装着するための貫通孔であるリング装着孔１０を有している。該リング装着孔１０にガイドリング２が挿入されて、ガイドリング２の外周面がリング装着孔１０の壁面で保持されている。ガイドリング２がフレーム３に接着により固定されている。尚、ガイドリング２はリング装着孔１０に例えば圧入により装着され、更には、接着剤によりフレーム３に固定される。
【００２１】
フレーム３は、竿体４に取り付けるための取付脚部１１と、ガイドリング２を保持するためのリング保持部１２とを備えている。リング保持部１２は、取付脚部１１の前端部から上側に向けて所定角度で立ち上がっている。リング保持部１２は取付脚部１１に対して上側に向けて所定角度で傾斜しており、その傾斜角度ないし立ち上がり角度は９０度未満となっている。従って、リング装着孔１０及びガイドリング２の中心線は、竿体４の中心線と平行ではなく、竿体４の中心線に対して前側が竿体４の中心線に接近するように傾斜している。但し、リング保持部１２が取付脚部１１に対して直角に立ち上がっていてもよく、リング装着孔１０及びガイドリング２の中心線が竿体４の中心線と平行であってもよい。
【００２２】
フレーム３は、互いに別素材である前後二つの部材から構成されている。即ち、フレーム３は、合成樹脂製の保持部材７と金属製の脚部材８という二つの部材から構成されている。保持部材７は、フレーム３の全体のうちリング保持部１２側の部分を構成している。つまり、保持部材７は、フレーム３の前側であって上側の部分を構成している。脚部材８は、フレーム３の全体のうち取付脚部１１側の部分を構成している。つまり、脚部材８は、フレーム３の後側であって下側の部分を構成している。このようにフレーム３は、前後二つあるいは上下二つに区分されて構成されている。フレーム３は、保持部材７と脚部材８とが接合一体化されて構成されている。保持部材７と脚部材８との接合部は、リング装着孔１０と取付脚部１１との間の位置にある。詳細には、接合部は、リング保持部１２が取付脚部１１に対して立ち上がり始める箇所である立ち上がり部１３に位置している。
【００２３】
＜脚部材８＞
脚部材８は鍛造品や金属板からなる。脚部材８の材質は、種々の金属であってよく、例えばチタンやステンレス等が挙げられる。チタンとしてはチタン合金が好ましい。脚部材８は全体として上下方向に薄い薄肉状のものであり、上下方向の寸法（厚さ）が左右方向の寸法（幅）よりも小さい形状である。脚部材８は、前後方向に直線状に延びている。図２のように、脚部材８の幅は、後側から前側に向けて若干広くなった小さいテーパ形状となっている。但し、脚部材８の幅は前後方向に沿って一定であってもよい。
【００２４】
脚部材８は、竿体４の外周面に取り付けられる取付脚部１１と、保持部材７に接合される接合端部２０とを備えている。取付脚部１１は、前後方向に沿って直線状に延びている。取付脚部１１は脚部材８の全長のうち大部分を占めている。取付脚部１１の上面１１ａの最後部には後側に向けて徐々に下降する傾斜面２１が形成されており、該傾斜面２１によって取付脚部１１の最後部の厚さは後側に向けて徐々に薄くなっている。取付脚部１１の上面１１ａは平坦面であってもよいが、本実施形態では図３のように左右方向に沿って上側凸に湾曲する湾曲面となっている。このように取付脚部１１の上面１１ａを左右方向に沿った上側凸の湾曲面とすることで、竿体４に巻糸５で取り付ける際に巻糸５をスムーズに巻回でき、良好な仕上がりとなって美感に優れる。同様に、取付脚部１１の下面１１ｂも平坦面であってよいが、本実施形態では左右方向に沿って上側凸に湾曲した湾曲面となっている。このように取付脚部１１の下面１１ｂを左右方向に沿って上側凸の湾曲面とすることで取付脚部１１が竿体４の外周面の湾曲形状に沿いやすく、取付脚部１１をしっかりと安定して竿体４に取り付けることができると共に綺麗な仕上がり状態となる。
【００２５】
取付脚部１１の上面１１ａには各種の凹凸形状を形成することが好ましく、巻糸５をしっかりと巻回できて取付脚部１１の抜けを防止できる。本実施形態では、前後方向に間隔をあけて複数の凹部２２を形成しているが一箇所であってもよい。また、凹部２２の形状は任意であるが左右方向に沿った形状とすることが好ましい。
【００２６】
取付脚部１１の上下方向の寸法である厚さは、最後部においては上面１１ａに傾斜面２１が形成されていることから前側に向けて大きなテーパ率で厚くなっているが、その傾斜面２１よりも前側の主要部分においては一定あるいは前側に向けて若干厚くなっている。本実施形態では、取付脚部１１の主要部分において、前側に向けて小さいテーパ率で徐々に厚くなっていて取付脚部１１の前端部において最も厚くなっている。
【００２７】
接合端部２０は、取付脚部１１の前側に延設され、脚部材８の最前部を構成している。接合端部２０の長さは取付脚部１１よりも短い。接合端部２０は、水平に延びる取付脚部１１に対して上側に向けて所定角度で傾斜して折れ曲がっている。その傾斜角は例えば５〜６０度であるが、取付脚部１１に対して略直角に折れ曲がっていてもよい。このように接合端部２０が上側に傾斜しつつ前側に延びていることにより、取付脚部１１は竿体４の外周面に当接する一方、接合端部２０は竿体４の外周面から上側に浮き上がることになる。尚、接合端部２０の厚さは、取付脚部１１の前端部の厚さよりも薄くすることが好ましい。
【００２８】
＜保持部材７＞
保持部材７は射出成形により形成された射出成形品である。保持部材７を射出成形する際に脚部材８がインサート成形によって一体化されている。保持部材７は、各種の合成樹脂からなる。合成樹脂は、射出成形に適した種々の熱可塑性樹脂であってよいが、特には、長さが１ｍｍ以下の短繊維を混入した合成樹脂が好ましい。短繊維の長さは特には０．５ｍｍ以下であることが好ましい。尚、短繊維としてはカーボン繊維等であってよい。尚、リング装着孔１０は、射出成形によって貫通孔として形成することが好ましいが、射出成形後の半製品に孔加工して貫通孔として形成してもよい。
【００２９】
保持部材７は、リング装着孔１０が形成されたリング保持部１２と、脚部材８に接合される接合端部３０とを備えている。リング保持部１２は、リング装着孔１０を周回する環状であって、リング装着孔１０の壁面でガイドリング２を保持する。リング装着孔１０の壁面はリング装着孔１０の中心線の方向に沿って湾曲することなく径一定で延びた周面となっている。リング保持部１２は、脚部材８の取付脚部１１に対して所定角度で傾斜しつつ立ち上がっており、取付脚部１１に対して直角に立ち上がっているのではなく前傾姿勢となっているが、取付脚部１１に対して直角に立ち上がっていてもよい。図５のようにリング装着孔１０の中心線に沿った方向のリング保持部１２の寸法は、取付脚部１１の厚さよりも大きい。また、リング保持部１２の外径は、リング装着孔１０の中心線に沿って一定であってもよいが、後側が小さく前側が大きいことが好ましく、前側に向けて拡径していることが好ましく、糸絡みを抑制できる。
【００３０】
接合端部３０は、リング保持部１２の下部から後側に向けて下側に傾斜しつつ延びていて、保持部材７の接合端部３０の内部に脚部材８の接合端部２０が埋め込まれるようにして入り込んでいる。従って、脚部材８の接合端部２０は保持部材７の接合端部３０に覆われている。保持部材７の後端面３１は接合端部３０の後端面３１でもあるが、その後端面３１は後側を向いていて竿体４の中心線に対して直交する平面となっており、その後端面３１から脚部材８の接合端部２０が保持部材７の接合端部３０の内側に前側且つ上側に向けて入り込んでいる。尚、保持部材７の後端面３１は、脚部材８の接合端部２０と取付脚部１１との境界部の近傍であって若干接合端部２０側に位置している。
【００３１】
接合端部３０は、図２のように左右方向の寸法（幅）が後側に向けて徐々に小さくなっているが、その後端においても左右方向の寸法は脚部材８の取付脚部１１よりも大きく幅広となっていて、保持部材７の接合端部３０は脚部材８の取付脚部１１に対して左右に均等にはみ出している。また、接合端部３０の上下方向の寸法（厚さ）は、脚部材８の取付脚部１１の上下方向の寸法（厚さ）よりも大きい。従って、保持部材７の接合端部３０の上面３０ａと脚部材８の取付脚部１１の上面１１ａとの間には、保持部材７の接合端部３０の上面３０ａが一段上側となる段差が形成されている。また、保持部材７の接合端部３０の左右両側面と脚部材８の取付脚部１１の左右両側面との間には、それぞれ保持部材７の接合端部３０の側面が一段外側となる段差が形成されている。
【００３２】
このように保持部材７の接合端部３０と脚部材８の取付脚部１１との間には、左右及び上側の三方に段差が形成されている。保持部材７の接合端部３０の上面３０ａは、脚部材８の取付脚部１１の上面１１ａに対して不連続となっており、保持部材７の接合端部３０の左右両側面も、脚部材８の取付脚部１１の左右両側面に対して不連続となっている。そして、保持部材７の後端面３１が竿体４の中心線に対して直角であることから、段差は竿体４の中心線に対して直角に形成される。但し、段差は直角でなくてもよく傾斜していてもよい。また、保持部材７の後端面３１と保持部材７の接合端部３０の上面３０ａとの間の角部はエッジのある形状ではなく円弧状等のような丸味のある形状であってもよい。
【００３３】
尚、接合端部３０の下面３０ｂの最後部であって左右方向の中央部には前後方向に沿って凹溝３２が形成されている。該凹溝３２は左右方向に沿って上側凸に湾曲した湾曲面となっており、脚部材８の取付脚部１１の下面１１ｂの湾曲形状に対応して湾曲していると共に脚部材８の取付脚部１１の下面１１ｂの前側に隣接して形成されている。
【００３４】
保持部材７の上面あるいは後面には補強壁３３が左右一対形成されている。補強壁３３は、リング保持部１２と接合端部３０との境界部及びその近傍に形成されており、補強壁３３は、リング保持部１２の後面から接合端部３０の上面３０ａにかけて形成されている。より詳細には、図５のように補強壁３３は、リング保持部１２の後面の上下方向略中央部から後側且つ下側に向けて傾斜して延びていて、接合端部３０の上面３０ａの左右両端部に沿って後側に延びて保持部材７の後端まで達している。左右両補強壁３３は図２のような平面視において脚部材８の接合端部２０よりも左右方向の外側に位置している。補強壁３３の突出量は、リング保持部１２と接合端部３０との境界部において最も大きく、そこから前側及び後側に離れる程小さくなっていく。
【００３５】
以上のように構成された釣糸ガイド１は、図５のように竿体４の外周面に巻糸５により取り付け固定される。取付脚部１１の上側を巻回するように竿体４と取付脚部１１をセットで巻き付けて固定する。巻糸５は取付脚部１１の全長に亘って巻き付けられると共に取付脚部１１よりも後側にも延長して所定長さに亘って巻き付けられる。そして、巻糸５の上には巻糸５を覆うように接着性のある合成樹脂が塗布されて固められる。そのため、巻糸５の上には樹脂被覆層６が形成される。
【００３６】
取付脚部１１の上面１１ａの凹部２２に巻糸５が係止するので、取付脚部１１の抜けが防止されて、強固に取付脚部１１を固定できる。また、保持部材７の接合端部３０と脚部材８の接合端部２０との間には段差が生じているが、取付脚部１１に巻糸５を巻き付けることによってその段差が埋まって解消される。そして、巻糸５の外側に樹脂被覆層６が形成されていることも相まって、保持部材７の接合端部３０から取付脚部１１にかけて滑らかに連続した面構成となる。従って、保持部材７の接合端部３０と脚部材８の取付脚部１１との間における糸絡みを防止できる。尚、樹脂被膜層６の方が保持部材７の接合端部３０の上面３０ａよりも高くなっていてもよい。
【００３７】
また、保持部材７は合成樹脂製であって軽量であり、しかも射出成形品であるため、最適な立体形状を容易に形成でき、リング装着孔１０の壁面の軸線方向の長さを十分に確保することによってガイドリング２をしっかりと保持できる。また、補強壁３３を形成したりする等によって強度も十分に確保することができる。特に、保持部材７のリング保持部１２と接合端部３０との境界部に左右一対の補強壁３３を設けているので、リング保持部１２と接合端部３０との境界部を効果的に補強できて曲げ応力に対して強度のある保持部材７を形成できる。しかも、補強壁３３を左右一対設けることで重量増加を抑制しつつ十分な強度を確保できる。更に、補強壁３３が左右一対形成されていることから、リング保持部１２と接合端部３０との間における糸絡みを効果的に防止できる。
【００３８】
一方、脚部材８は金属製であるため取付脚部１１を薄くすることができる。そのため竿体４に取り付けた状態において巻糸５が大きく膨れあがることがなく美感に優れている。また、脚部材８が金属製であるため粘りがあって靱性に優れており、大きな外力が作用しても撓んだり弾性変形したりするので折れにくく、繰り返し曲げにも耐えることができる。
【００３９】
そして、保持部材７と脚部材８がリング装着孔１０と取付脚部１１との間の位置で接合一体化されており、保持部材７のみでガイドリング２を保持するので、フレーム３全体に占める金属部分の割合を小さくできてフレーム３を軽量化できる。また、脚部材８が保持部材７にインサート成形により一体化されているので、両部材７，８を強固に一体化できる。
【００４０】
更に、リング保持部１２が取付脚部１１に対して立ち上がっている立ち上がり部１３において保持部材７の接合端部３０と脚部材８の接合端部２０とが接合されているので、保持部材７と脚部材８との接合部において釣糸が絡みにくい。また、保持部材７の接合端部３０が脚部材８の取付脚部１１に対して段差が生じる程に十分に厚いので、保持部材７の接合端部３０の強度が大きく、保持部材７の接合端部３０において発生しやすい割れを防止できる。
【００４１】
尚、脚部材８の接合端部２０に抜け止め構造を備えることも好ましい。抜け止め構造は種々のものであってよいが、各種形状の抜け止め部を脚部材８の接合端部２０に設けることができる。例えば、図６のように脚部材８の接合端部２０に、抜け止め部として、抜け止め用の貫通孔４０を形成してもよい。貫通孔４０は一箇所でもよいし、二箇所以上であってもよく、またその形状も矩形であってもよいし円形等であってもよい。尚、脚部材８の接合端部２０を先端に向けて徐々に幅広に形成することも抜け止め構造として好ましく、その場合には貫通孔４０の形状も接合端部２０の先端に向けて幅広となる台形状や三角形状等の形状とすることが好ましい。
【００４２】
また、図７のように、抜け止め部として、脚部材８の接合端部２０の先端部に左右外側に向けて突出する抜け止め用の突部４１をそれぞれ形成してもよい。抜け止め用の突部４１は左右一対設けることが好ましいが、左右何れか一方のみであってもよい。抜け止め用の突部４１は接合端部２０の側面に形成する他、接合端部２０の上面や下面に形成してもよい。また、抜け止め構造として、脚部材８の接合端部２０の厚さ（上下方向の寸法）を先端に向けて徐々に厚くするようにしてもよい。
【００４３】
また更に、図８のように、脚部材８の接合端部２０を取付脚部１１に対して上側に直角に折り曲げられた形状としてもよい。このように脚部材８の接合端部２０を上側に直角に起立させると、取付脚部１１に対する脚部材８の接合端部２０の角度が、取付脚部１１に対するリング保持部１２の傾斜角度よりも大きな角度となるため、脚部材８の接合端部２０の保持部材７からの抜けが防止される。このように抜け止め構造は種々のものであってよく、抜け止め構造を備えることにより、保持部材７と脚部材８との接合がより一層強固なものとなり、ラフな使用にも耐えることができる。
【符号の説明】
【００４４】
１    釣糸ガイド
２    ガイドリング
３    フレーム
４    竿体
５    巻糸
６    樹脂被覆層
７    保持部材
８    脚部材
１０    リング装着孔
１１    取付脚部
１１ａ  上面
１１ｂ  下面
１２    リング保持部
１３    立ち上がり部
２０    脚部材の接合端部
２１    傾斜面
２２    凹部
３０    保持部材の接合端部
３０ａ  上面
３０ｂ  下面
３１    後端面
３２    凹溝
３３    補強壁
４０    貫通孔
４１    突部
【図１】
2018157769.tif 000003
【図２】
2018157769.tif 000004
【図３】
2018157769.tif 000005
【図４】
2018157769.tif 000006
【図５】
2018157769.tif 000007
【図６】
2018157769.tif 000008
【図７】
2018157769.tif 000009
【図８】
2018157769.tif 000010